(57)【要約】 【課題】  極めて簡便な構成でありながら、マニキュアの使用時にマニキュア瓶内部のマニキュア液の残量に応じてそのマニキュア液を刷毛に付着させ易い好適な傾斜姿勢でマニキュア瓶を保持することのできるマニキュア用スタンドを提供する。【解決手段】平面上に載置される台板１と、台板１の上面に立設された立板２と、ほぼＶ字状の側面形状を有して、その一側端面が立板２の前面２ヘに固着された支持板３とを備えて構成されている。支持板３の屈曲部分に沿った稜線部７から一方側に延びる第１支持板部８と台板１に平行な面とがなす角度θ１と、稜線部７から他方側に延びる第２支持板部９と前記平行な面とがなす角度θ２と、稜線部７と前記平行な面とがなす角度θ３とが、θ１＞θ２＞θ３の関係が成立するよう設定されている。【選択図】  図１
2005118119.tif 000002
【特許請求の範囲】
【請求項１】
平面上に載置される台板と、
前記台板の上面に立設された立板と、
ほぼＶ字状の側面形状を有して、その一側端面が前記立板の前面に固着された支持板とを備えてなり、
前記支持板の屈曲部分に沿った稜線部から一方側に延びる第１支持板部と前記台板に平行な面とがなす角度θ１と、前記稜線部から他方側に延びる第２支持板部と前記平行な面とがなす角度θ２と、前記稜線部と前記平行な面とがなす角度θ３とが、θ１＞θ２＞θ３の関係が成立するよう設定されていることを特徴とするマニキュア用スタンド。
【請求項２】
台板の下面に少なくとも３個の滑り止め突部が設けられている請求項１に記載のマニキュア用スタンド。
【請求項３】
第２支持板部における稜線部から上端までの長さが第１支持板部における前記稜線部から上端までの長さよりも長く設定され、前記稜線部の長さが前記第２支持板部の前記長さと同じか、またはそれ以上に設定されている請求項１または２に記載のマニキュア用スタンド。
【発明の詳細な説明】
【技術分野】
【０００１】
本発明は、マニキュアの使用に際して、マニキュア瓶内部のマニキュア液の残量に応じてそのマニキュア液を刷毛に付着させ易い傾斜姿勢でマニキュア瓶を保持する用途に用いるマニキュア用スタンドに関するものである。
【背景技術】
【０００２】
一般に、マニキュア液を爪に塗る場合には、利き腕とは反対側の手でマニキュア瓶を持ちながら、或いはマニキュア瓶を近くに立て置いた状態で、利き腕の指で摘んだキャップの取付軸をマニキュア瓶に挿入して、その取付軸の先端の刷毛にマニキュア液を付着させたのち、刷毛をマニキュア瓶から取り出して、刷毛に付着しているマニキュア液を爪に塗る作業を繰り返す手順で行われる。
【発明の開示】
【発明が解決しようとする課題】
【０００３】
しかしながら、一方の手の指でマニキュア瓶を持ちながら、他方の手の指で摘んだキャップの取付軸先端の刷毛に付着しているマニキュア液を爪に塗る場合には、マニキュア瓶の瓶口からマニキュア液がこぼれないように注意を払いながら刷毛を操作することになるので、マニキュア液を爪に上手に塗れずに失敗したり、マニキュア瓶からマニキュア液をこぼしてしまったりし易い。一方、キャップを外して瓶口が開口したままのマニキュア瓶を近傍箇所に近くに立て置く場合には、マニキュア瓶が倒れてマニキュア液がこぼれる不具合が生じるおそれがある。また、キャップに取り付いている取付軸は、キャップをマニキュア瓶の瓶口に取り付けたときに刷毛がマニキュア瓶の底面まで届かない長さに設定されているので、マニキュア瓶内部のマニキュア液の残量が少なくなるのに伴って大きな傾斜角度にマニキュア瓶を傾けた状態に保持しながら、そのマニキュア瓶に刷毛を挿入するようにしないと、刷毛に十分なマニキュア液を付着させることができないから、その取扱いが煩わしい。
【０００４】
上述のような事情にも拘わらず、マニキュアの使用に際して用いる従来の用具としては、隣接する２本の指の間に介在させて爪をマニキュア液が塗り易い間隔に保持するもの等が知られているが、マニキュア瓶を状況に応じて使用し易い状態に保持できる簡便なものが何ら提案されていないのが実情である。
【０００５】
そこで、本発明は、前記従来の事情に鑑みてなされたもので、極めて簡便な構成でありながら、マニキュアの使用時にマニキュア瓶内部のマニキュア液の残量に応じてそのマニキュア液を刷毛に付着させ易い好適な傾斜姿勢でマニキュア瓶を保持することのできるマニキュア用スタンドを提供することを目的としている。
【課題を解決するための手段】
【０００６】
前記目的を達成するために、本発明の請求項１に係るマニキュア用スタンドは、平面上に載置される台板と、前記台板の上面に立設された立板と、ほぼＶ字状の側面形状を有して、その一側端面が前記立板の前面に固着された支持板とを備えてなり、前記支持板の屈曲部分に沿った稜線部から一方側に延びる第１支持板部と前記台板に平行な面とがなす角度θ１と、前記稜線部から他方側に延びる第２支持板部と前記平行な面とがなす角度θ２と、前記稜線部と前記平行な面とがなす角度θ３とが、θ１＞θ２＞θ３の関係が成立するよう設定されていることを特徴としている。
【０００７】
また、本発明の請求項２に係る発明は、請求項１に係る発明において、台板の下面に少なくとも３個の滑り止め突部が設けられている。
【０００８】
さらに、本発明の請求項３に係る発明は、請求項１または２の発明において、第２支持板部における稜線部から上端までの長さが第１支持板部における前記稜線部から上端までの長さよりも長く設定され、前記稜線部の長さが前記第２支持板部の前記長さと同じか、またはそれ以上に設定されている。
【発明の効果】
【０００９】
請求項１の発明のマニキュア用スタンドでは、マニキュア瓶を、第１支持板部、第２支持板部および稜線部の３箇所にそれぞれ立てかける状態に載置して保持できるようになっているとともに、上記３箇所の台板の平行面に対する角度、つまり水平面に対する角度がそれぞれ異なるので、マニキュア瓶内のマニキュア液の残量が少なくなるのに伴い上記角度の小さい箇所を適宜選択してマニキュア瓶を載置することにより、刷毛にマニキュア液を容易に付着させることができる傾斜角度でマニキュア瓶を保持することができ、マニキュア液を爪に塗る作業を容易に行える。
【００１０】
また、マニキュア瓶は、上記３箇所のうちの何れの箇所に載置する場合にも、傾斜させた配置で一側面が保持され、且つ底面が稜線部または立板に当接して支持されるので、単に鉛直な姿勢で立て置く場合におけるマニキュア瓶の倒れといった不具合が生じるおそれがなく、載置した姿勢に常に確実に保持される。しかも、このマニキュア用スタンドは、台板、立板および支持板の３枚の板材を所要の形状に組み合わせて相互に固着するだけの極めて簡単な構成でありながら、上述した顕著な効果が得られる。
【００１１】
請求項２の発明では、机の台などの水平な面上に載置したときに、各滑り止め突部が載置面に対し高い摩擦抵抗によって容易に滑らない状態で接触するので、刷毛をマニキュア瓶内に挿入するときなどにマニキュア瓶に加わる力に抗して、載置面上に容易に盲動しないように固定される。これにより、マニキュア瓶を一層確実に保持できるので、刷毛にマニキュア液を付着させる作業が行い易い利点がある。
【００１２】
請求項３の発明では、マニキュア瓶をそれぞれ支持する第１支持板部、第２支持板部および稜線部の３箇所が、水平面に対する角度が小さくなって大きな傾斜状態となるのに伴って大きな長さを有するように設定されているから、振動の発生などに起因してマニキュア瓶がその瓶口側から脱落するのが確実に防止される。
【発明を実施するための最良の形態】
【００１３】
以下、本発明の最良の実施の形態について、図１ないし図４を参照しながら説明する。図１は本発明の一実施の形態に係るマニキュア用スタンドを示す斜視図である。このマニキュア用スタンドは、机の台上などの水平な載置面に据え置かれる台板１と、この台板１における後端近傍の上面に接着して立設された立板２と、ほぼＶ字状の側面形状を有して、その一側面が立板２の側面に接着された支持板３とを備えて構成されている。上記台板１、立板２および支持板３は、この実施の形態において、何れもアクリル系樹脂により形成されている。但し、上記各板１〜３は、アクリル系樹脂以外の合成樹脂で形成してもよい。
【００１４】
上記台板１は、正方形の平面視形状を有する平板に形成されており、装飾用のラメ４が内部に混入されている。立板２は、図２の正面図に明示するように、長方形の平面視形状を有する平板に形成されており、図３の左側面図に示すように、台板１の直交方向に対し角度θ３だけ後方側（図の左方側）に傾斜した相対配置で、台板１の後端近傍の上面に融着手段または接着手段により接合して立設されている。したがって、立板２における台板１との接合端面２ａは、自体の厚み方向に対し上記角度θ３だけ傾斜している。
【００１５】
上記支持板３は、長方形の平板材の所定箇所を短辺に平行な線に沿って９０°の角度に屈曲してなるほぼＶ字状の側面視形状を有し、そのほぼＶ字形状の一側端面が立板２の前面２ｂに融着手段または接着手段で接合されている。なお、上記支持板３は、アクリル系樹脂により成形加工されるもので、平板材を屈曲する加工により形成されるものではない。支持板３における立板２との接合端面は、自体の平板表面に対し直角に形成されている。したがって、図３に示すように、支持板３は、これの屈曲部分に沿った稜線部７が台板１の平行面に対しθ３の角度だけ後方側に向け下り勾配に傾斜した配置で立板２に支持されている。
【００１６】
上記支持板３における稜線部７から図の左方側に延びる第１支持板部８は、上記台板１の平行面に対し角度θ１に設定されているとともに、上記稜線部７から図の右方側に延びる第２支持板部９は、上記台板１の平行面に対し角度θ２に設定されている。これら３種の角度θ１〜θ３は、θ１＞θ２＞θ３の関係が成立するよう設定されている。具体的には、この実施の形態において、角度θ１が５５°、角度θ２が３５°、角度θ３が２０°に設定されている。
【００１７】
また、図２に明示するように、第２支持板部９における稜線部７から上端までの長さＬ２は第１支持板部８における稜線部７から上端までの長さＬ１よりも長く設定され、図３に示す稜線部７の長さＬ３は、この実施の形態において、第２支持板部９の上記長さＬ２とほぼ同じに設定されている。すなわち、上記３種の長さＬ１〜Ｌ３は、各々の角度θ１〜θ３が大きくなるのに伴って長く設定されている。したがって、稜線部７の長さＬ３は、第２支持板部９の長さＬ２よりも僅かに長く設定してもよい。
【００１８】
上記台板１下面には、４箇所の角部にそれぞれ滑り止め突部１０が接着されている。この滑り止め突部１０は、摩擦抵抗の大きな素材により形成されており、この実施の形態において、シリコンゴムにより形成されている。
【００１９】
つぎに、上記マニキュア用スタンドの使用について説明する。先ず、マニキュアについて簡単に説明する。図３および図４にそれぞれ２点鎖線で示すように、マニキュア１１は、マニキュア液１８が入ったマニキュア瓶１２を施蓋するキャップ１３に取付軸１４が取り付けられ、その取付軸１４の先端に刷毛１７が固着された構成になっている。そして、このマニキュア１１の使用に際しては、キャップ１３を摘んで回しながらマニキュア瓶１２の瓶口とのねじ込みを緩めて取り出し、マニキュア液１８に浸漬されていた刷毛１７に付着しているマニキュア液１８を爪に塗り、刷毛１７をマニキュア瓶１２に挿入して、その刷毛１７にマニキュア液１８を付着させ、その刷毛１７を取り出してマニキュア液１８を爪に塗る作業を繰り返す。
【００２０】
上記マニキュアュア用スタンドは、図３および図４に２点鎖線で示すように、第１支持板部８、第２支持板部９および稜線部７の３箇所の保持部分のうちの所望の１箇所を選択して、その箇所にマニキュア１１を載置すれば、このマニキュア１１を脱落することのない安定状態で保持できるものであり、使用時にはマニキュア瓶１２のみが保持される。上記３箇所の台板１の平行面に対する角度θ１〜θ３は互いに異なる、つまり机の台などの水平面に置いた場合の水平面に対する角度θ１〜θ３が互いに異なるので、マニキュア瓶１２内のマニキュア液１８の残量が少なくなるのに伴い小さな角度θ１〜θ３の箇所を適宜選択して、その箇所にマニキュア１１を載置すれば、マニキュア液１８の残量が少なくなるのに伴ってマニキュア瓶１２を大きな傾きで保持することになる。これにより、マニキュア瓶１２は、マニキュア液１８の残量の大小に拘わらず、マニキュア液１８の液面が常に瓶口の近傍箇所まで延びる状態に保持されるから、刷毛１７にマニキュア液１８を容易に付着させることができる。
【００２１】
また、使用に際しては、図４の右方に示すように、キャップ１３をマニキュア瓶１２の瓶口から外して、マニキュア瓶１２のみをマニキュア用スタンドの上記３箇所のうちの何れかに載置しておき、キャップ１３を指で摘んで刷毛１７に付着しているマニキュア液１８を爪に塗ったのち、刷毛１７をマニキュア瓶１２に挿入して刷毛１７にマニキュア液１８を付着させる作業を繰り返す。したがって、マニキュア液１８を爪に塗るに際しては、マニキュア瓶１２を持つ必要がなく、且つマニキュア瓶１２の瓶口からマニキュア液１８がこぼれることに注意を払う必要がないので、マニキュア液１８を爪に塗る作業をスムーズに行うことができる。
【００２２】
上述の使用時にはマニキュア瓶１２をこれの瓶口が開口したままの状態でマニキュア用スタンドに保持させるので、マニキュア瓶１２は、例えば振動などの発生に対し瓶口からマニキュア液１８が零れないように確実に保持する必要がある。これに対し、上記マニキュア用スタンドでは、マニキュア瓶１２が、何れの箇所に載置する場合にも、予め設定された角度θ１〜θ３に傾斜させた配置で一側面が第１支持板部８、第２支持板部９または稜線部７の何れかに保持され、且つ底面が稜線部７または立板２の前面２ｂに支持されている。したがって、マニキュア瓶１２は、単に鉛直に立てて置く場合のような倒れるといった事態が生じることがないので、常に載置した配置に確実に保持されから、瓶口からマニキュア液１８がこぼれるといった不具合が生じるおそれがない。
【００２３】
また、机の台などの水平な載置面上に置いたときに、台板１の下面に設けた４個の滑り止め突部１０が載置面に対し高い摩擦抵抗で容易に滑らない状態で接触するので、刷毛１７をマニキュア瓶１２内に挿入するときなどにマニキュア瓶１２に加わる力に抗して、載置面上に容易に盲動しないように固定される。これにより、このマニキュア用スタンドは、マニキュア瓶１２を一層確実に保持して、刷毛１７にマニキュア液１８を付着させる作業が行い易くなっている。
【００２４】
さらに、マニキュア瓶１２は、第１支持板部８または第２支持板部９に支持させる場合に、マニキュア瓶１２の中心線が水平面に対し設定角度θ１，θ２だけ傾斜した姿勢で保持されるのに加えて、支持板３が水平面に対し角度θ３だけ傾斜していることから、マニキュア瓶１２における第１または第２支持板部８，９に接触している一側面に対し９０°の角度だけ後方側の他の一側面が立板２の前面２ｂに当接して保持されている。したがって、第１または第２支持板部８，９に支持されているマニキュア瓶１２は、振動の発生時などにおいても立板２の前面２ｂに当接した姿勢に確実に保持されて、稜線部７側に向け倒れるおそれがない。また、稜線部７上にマニキュア瓶１２を載置した場合には、稜線部７がＶ字形状の溝状であるから、側面が第１および第２支持板部８，９により両側から保持され、且つマニキュア瓶１２の中心線が角度θ３となる傾斜状態で瓶底が立板２で支持されているから、振動の発生時などにおいてもむやみに動かないように確実に保持される。
【００２５】
また、マニキュア瓶１２の傾斜角度が大きくなるに伴って内部のマニキュア液１８の液面が瓶口側に延びてマニキュア瓶１２の重心が瓶口側に変位する。これに対し、上記マニキュア用スタンドでは、マニキュア瓶１２を支持する第１支持板部８、第２支持板部９および稜線部７の各長さＬ１，Ｌ２，Ｌ３が、水平面に対する角度θ１〜θ３が小さくなるのに伴って、換言すると傾斜が大きくなるのに従って長さを長く設定されていることから、振動の発生などに起因してマニキュア瓶１２が瓶口側から脱落するのが確実に防止される。
【００２６】
しかも、このマニキュア用スタンドは、上述した顕著な効果を奏するものでありながら、合成樹脂製の台板１、立板２および支持板３の３枚の板材を所要の形状に組み合わせて相互に接合しただけの極めて簡単な構成であり、安価なものとなる。また、このマニキュア用スタンドは、意匠面において優れた立体構造を有しているとともに、台板１にラメ４を混入しているので、装飾品としての価値もあり、一般家庭で使用する他に、エステ業界や美容院などにおける業務用としても抵抗無く使用することができる。
【００２７】
なお、上記実施の形態では、立板２の台板１との接合端面２ａを斜めにカットした形状としたが、これに限らず、立板２を、台板１との接合端面２ａが平板表面に対し直角であり、前面２ｂが後方へ傾いた傾斜面で、且つ後面が鉛直面となる、断面形状が細長い三角形となる形状としてもよい。また、ラメ４は、台板１に代えて、立板２に混入しても装飾効果を得ることができ、或いは台板１、立板２の両方にに混入してもよい。
【産業上の利用可能性】
【００２８】
このマニキュア用スタンドは、マニキュア１１の使用時にマニキュア瓶１２内部のマニキュア液１８の残量に応じてそのマニキュア液１８を刷毛に付着させ易い好適な傾斜姿勢でマニキュア瓶１２を保持することができるので、マニキュア液を塗る作業失敗無く上手に行うことができ、且つマニキュア液１８をこぼすおそれがなく、しかも、極めて簡便な構成であって安価なものとなるから、主として、女性がマニキュア液を塗る作業を効果的にサポートできる好適な製品を提供できる。
【図面の簡単な説明】
【００２９】
【図１】本発明の一実施の形態に係るマニキュア用スタンドを示す斜視図。
【図２】同上のマニキュア用スタンドを示す正面図。
【図３】同上のマニキュア用スタンドを示す左側面図。
【図４】同上のマニキュア用スタンドの一部の切断正面図。
【符号の説明】
【００３０】
１  台板
２  立板
２ｂ  立板の前面
３  支持板
７  稜線部
８  第１支持板部
９  第２支持板部
１０  滑り止め突部
【図１】
2005118119.tif 000003
【図２】
2005118119.tif 000004
【図３】
2005118119.tif 000005
【図４】
2005118119.tif 000006